(57)【要約】【課題】夜間でも認識でき、長時間発光する浮遊型の有機ＥＬ発光装置を提供すること。【解決手段】基材８が樹脂よりなる有機ＥＬパネル２０を備えた有機ＥＬ発光装置３０であって、前記有機ＥＬパネル２０の外周形状を多角形とし、前記多角形有機ＥＬパネル２０を複数枚組み合わせることにより、袋状の構造とし、有機ＥＬパネルの外周形状を六角形とし、袋状の構造とした有機ＥＬ発光装置３０の内部に、空気より軽い気体を密閉する。【選択図】図４
2017033821.tif 000002
【特許請求の範囲】
【請求項１】
基材が樹脂よりなる有機ＥＬパネルを備えた有機ＥＬ発光装置であって、
前記有機ＥＬパネルの外周形状を多角形とし、前記多角形有機ＥＬパネルを複数枚組み合わせることにより、袋状の構造としたことを特徴とする有機ＥＬ発光装置。
【請求項２】
前記有機ＥＬパネルの外周形状が、六角形であることを特徴とする請求項１に記載の有機ＥＬ発光装置。
【請求項３】
前記袋状の構造とした有機ＥＬ発光装置の内部に、空気より軽い気体を密閉したことを特徴とする請求項１または請求項２に記載の有機ＥＬ発光装置。
【請求項４】
前記空気より軽い気体が、水素、ヘリウム、窒素のうち少なくとも１つを主成分とし、単体、あるいは混合体であることを特徴とする請求項１〜３のいずれか一項に記載の有機ＥＬ発光装置。
【請求項５】
有機ＥＬ発光装置の重さが、［袋状構造の内部の体積］×［空気の密度］＝ｎ×ａｓｉｎ（θ／２）×ａｃｏｓ（θ／２）×ｂ×１．２９ｋｇ／ｍ３  （θ＝３６０°／ｎ）より軽いことを特徴とする請求項１〜４のいずれか一項に記載の有機ＥＬ発光装置。
【請求項６】
前記有機ＥＬパネルの発光部が、数、文字の形状にパターン化されていることを特徴とする請求項１〜５のいずれか一項に記載の有機ＥＬ発光装置。
【発明の詳細な説明】
【技術分野】
【０００１】
本発明は、多角形有機ＥＬパネルを複数枚組み合わせた、袋状の構造とした有機ＥＬ発光装置に関し、発光することにより暗い場所でも長時間認識可能な有機ＥＬ発光装置に関する。
【背景技術】
【０００２】
これまで空中に浮き、人目を引く広告媒体としてはバルーンやノボリがあったが、明るい日中でなければ認識できず、夜間は照明を当てる等の工夫が必要であった。アドバルーンの一部にＥＬサインやネオンサイン等発光サインを設ける商品が提案されているが、一部の発光サインでは発光が弱く、また見る角度によって発光が見えづらい（特許文献１）。
【０００３】
また海上や山岳地帯での遭難時に救援信号としてあげる照明弾や発炎筒は信号を出せる時間が限られており、また発煙筒は夜間には認識できないといった問題があった。
【０００４】
ところで、次世代表示装置や次世代照明として、有機エレクトロルミネッセンス素子（有機ＥＬ素子）を備えた表示装置及び照明装置の開発が行われている。
【０００５】
有機ＥＬ素子は自発光で面発光である特徴を持ち、また、薄くて軽いデバイスが作製可能である。また、従来は基材にガラスを用いており剛直性があり、衝撃でガラスが割れるといった課題があったが、近年、ＰＥＮやＰＥＴ等の樹脂材料にバリア膜を設けて基材とすることで、フレキシブル性を持たせ、またガラスのように割れない安全で軽量なフレキシブル有機ＥＬ素子も開発されている。
【先行技術文献】
【特許文献】
【０００６】
【特許文献１】実用新案登録第３０８８９５４号公報
【発明の概要】
【発明が解決しようとする課題】
【０００７】
本発明は上記課題に鑑みて開発されたものであり、夜間でも認識でき、長時間発光する浮遊型の有機ＥＬ発光装置を提供することにある。
【課題を解決するための手段】
【０００８】
上記の課題を解決するための手段として、請求項１に記載の発明は、基材が樹脂よりなる有機ＥＬパネルを備えた発光装置であって、
前記有機ＥＬパネルの外周形状を多角形とし、前記多角形有機ＥＬパネルを複数枚組み合わせることにより、袋状の構造としたことを特徴とする有機ＥＬ発光装置である。
【０００９】
また、請求項２に記載の発明は、前記有機ＥＬパネルの外周形状が、六角形であることを特徴とする請求項１に記載の有機ＥＬ発光装置である。
【００１０】
また、請求項３に記載の発明は、前記袋状の構造とした有機ＥＬ発光装置の内部に、空気より軽い気体を密閉したことを特徴とする請求項１または請求項２に記載の有機ＥＬ発光装置である。
【００１１】
また、請求項４に記載の発明は、前記空気より軽い気体が、水素、ヘリウム、窒素のう
ち少なくとも１つを主成分とし、単体、あるいは混合体であることを特徴とする請求項１〜３のいずれか一項に記載の有機ＥＬ発光装置である。
【００１２】
また、請求項５に記載の発明は、有機ＥＬ発光装置の重さが、［袋状構造の内部の体積］×［空気の密度］＝ｎ×ａｓｉｎ（θ／２）×ａｃｏｓ（θ／２）×ｂ×１．２９ｋｇ／ｍ３  （θ＝３６０°／ｎ）より軽いことを特徴とする請求項１〜４のいずれか一項に記載の有機ＥＬ発光装置である。
【００１３】
また、請求項６に記載の発明は、記有機ＥＬパネルの発光部が、数、文字の形状にパターン化されていることを特徴とする請求項１〜５のいずれか一項に記載の有機ＥＬ発光装置である。
【発明の効果】
【００１４】
本発明の有機ＥＬ発光装置は、夜間でも離れた場所から認識でき、長時間発光し、薄くて軽いデバイスであるため容易に空中に浮かせることができる浮遊型であり、広告媒体や救援信号機として使用が可能である。また、基材にＰＥＮやＰＥＴなどの樹脂を用いた場合は、ガラスのように割れないため、万が一、落下しても割れず安全である。
【図面の簡単な説明】
【００１５】
【図１】本発明の、有機ＥＬ発光装置の実施形態に係る多角形有機ＥＬパネルの構成を示した概略断面図である。
【図２】本発明の、有機ＥＬ発光装置の実施形態に係る多角形有機ＥＬパネルの構成を示した概略断面図である。
【図３】本発明の、有機ＥＬ発光装置の実施形態に係り、ＯＤＦ封止による封止構成の一例を示した概略断面図である。
【図４】本発明の実施形態に係る有機ＥＬ発光装置の簡略図と展開図である。
【図５】本発明の実施形態に係る有機ＥＬ発光装置の簡略図と展開図である。
【図６】本発明の実施形態に係る有機ＥＬ発光装置の簡略図と展開図である。
【発明を実施するための形態】
【００１６】
以下本発明を実施するための形態を、図面を用いて詳細に説明する。図１および図２はそれぞれ順構造、逆構造の有機ＥＬパネル構成の一例を示したものであり、Ｌｉｇｈｔは有機ＥＬの発光を示す。
【００１７】
本発明に用いる有機ＥＬパネルは基材８、第一電極１、第二電極７、電子注入層２、電子輸送層３、発光層４、正孔輸送層５、正孔注入層６などを適宜組み合わせた構造を用いることができる。
【００１８】
逆構造の場合は無機酸化物層や有機バッファ層などを適宜、電子輸送層３と第二電極極（透明）７の間に挿入することで発光効率を高めることができる。
【００１９】
また、図３に紫外線を照射して封止するＯＤＦ封止（Ｏｎｅ  Ｄｒｏｐ  Ｆｉｌｌ）による封止構造の一例を示すが、封止体９はダム剤１７、フィル剤１８、封止基材１９から構成され、第一電極１、第二電極７、電子注入層２、電子輸送層３、発光層４、正孔輸送層５、正孔注入層６を覆うように形成する。また封止体９の外側に取り出し電極１６を設けてある。
【００２０】
光取り出し効率の向上のため、当該分野でよく知られる光取り出し構造を内部または外部に設けることもでき、内部の場合は第一電極１から基材８の間、外部の場合は基材８の外側に設けることができる。
【００２１】
基材８、封止基材１９としてはガラス、ＰＥＴ、ＰＣ、ＰＥＮなど当該分野で使われる各種材料を用いることができる。プラスチック基材であれば無機化合物や有機化合物からなるバリア層を設けて使うことができ、プラスチック基材とバリア層は多層構造にすることもできる。また、安全性の観点からガラス以外のプラスチック材料がより望ましい。
【００２２】
第一電極１の材料としてはアルミ、銅、銀、マグネシウム、カルシウム、チタン、白金等の単体金属を用いたり，電子注入層２として有機層との界面にＬｉや酸化Ｌｉ、ＬｉＦ、ＮａＦ等の化合物を挟んでもよい。
【００２３】
ＩＴＯ、ＩＺＯ等の透明導電膜を用いることもできる。第二電極７の材料としてはＩＴＯ、ＩＺＯ、ＡＺＯなどの金属複合酸化物や金，白金などの金属材料、ＰＥＤＯＴ／ＰＳＳなど導電性有機化合物など当該分野で使われる電極を用いることができる。
【００２４】
また第一電極１、第二電極７には適宜バス配線を用いることもできる。発光層４としては蛍光、燐光、ＴＡＤＦ材料など特に制限はなく、高分子でも低分子でも、当該分野で使われる材料を用いることができる。
【００２５】
電子輸送層３、電子注入層２、正孔輸送層５、正孔注入層６などに関しても、仕事関数のバランスを考慮しつつ、当該分野でよく知られたアルカリ金属や有機化合物を適宜用いることができる。封止体９に用いる材料は当該分野でよく知られる封止材を用いることができる。
【００２６】
封止体９に用いるダム剤１７は基板８と封止基材１９を接着させ、またフィル剤を充填する仕切りの役割を果たす。熱硬化性や光硬化性のある各種アクリレート、ウレタンポリエステル等の樹脂材料を用いることができる。
【００２７】
フィル剤は基材８と封止基材１９とダム剤１７の中に充填される材料で吸湿性のある材料が好ましい。吸湿性は化学吸着物質、物理吸湿性物質どちらでもよい。化学吸湿性物質としては、例えば五酸化二リン（Ｐ２Ｏ５）、酸化カルシウム（ＣａＯ）などが挙げられる。物理吸湿性物質としては、例えば酸化アルミニウム（Ａｌ２Ｏ３）、ゼオライト（アルミナ珪酸塩）などが挙げられる。
【００２８】
光取り出し構造は各層の屈折率差による反射光を低減するものであり、レンズ材料や拡散材料、屈折率を調整した材料を用いることができる。また、反射光を減衰させることなく再帰させ取り出すために、反射率を挙げた第一電極１と第二電極７を使用することができる。
【００２９】
有機ＥＬは特に製法を限定するものではなく、当該分野でよく知られた蒸着、印刷、インクジェット，ダイコート，静電塗布、ＣＶＤ、スパッタ、エッチングなど組み合わせて使用することができる。また、枚葉でもロールｔｏロールで製造できる。
【００３０】
本発明の有機ＥＬ発光装置を形成する有機ＥＬパネルの外周の形状は、多角形であり、有機ＥＬパネルの基材自体が多角形でも良いし、別の多角形の基材に有機ＥＬパネルを張り合わせる構成としても良い。
【００３１】
＜有機ＥＬ発光装置の構成＞
本発明における発光装置は図４に示すように、複数（ｎ枚）の外周が多角形の形状である有機ＥＬパネル（図４（ｂ））から構成される。それらを張り合わせることにより袋状の構造ができ（図４（ａ））当該デバイスとなる。張り合わせる際には一般の粘着剤を用い
ることができる。また有機ＥＬ発光装置は、装置内部に気体を入れるための封入口１０、有機ＥＬパネルを光らせるための電源ユニット１１、配線１２を備えている。
【００３２】
電源ユニット１１と当該デバイスが配線１２によってつながれ、電力が供給される。また、当該デバイスを使用の際、当該デバイスが大気中に浮いており、電源ユニット１１が地上にある場合には配線１２は当該デバイスと電源ユニット１１同士をつなぐ役割も果たす。
【００３３】
本発明の有機ＥＬ発光装置は、有機ＥＬパネルの発光部分に文字や画像をパターニングすることにより、広告媒体として用いることができる。自発光であるため夜間や暗い環境でも認識することができる。
【００３４】
本発明の有機ＥＬ発光装置は海上や山岳地帯で遭難した場合に、装置内部に空気より軽い気体を入れ、大気中に浮かせることにより、救援信号機として、夜間や暗い環境でも救援を知らせることができる。空気より軽い気体とは、例えば水素、ヘリウム、窒素などの単体もしくは混合体のガスを用いることができる。
【００３５】
また、内部にガスを封入しない場合は図５（ａ）の破線箇所を谷折りにすることで有機ＥＬ装置を折りたたみ平坦化して持ち運ぶことができる。
【実施例１】
【００３６】
図５に示すように、４枚の有機ＥＬパネルを組み合せ有機ＥＬ発光装置を作製する。図３は有機ＥＬの順構造の別の一例を示す。基材８にはバリアつきＰＥＴフィルム（凸版印刷製）を選択した。
【００３７】
まず、基材を図４に示すところのθ＝９０°、ａ＝５√２ｃｍ、ｂ＝１０ｃｍの六角形とそのうち３辺に張り合わせ用の耳を５ｍｍ幅加えて断裁した。試作のハンドリングを容易にするため、ＰＥＴフィルムはガラス板に仮固定剤で仮固定した。基材８にＩＴＯからなる透明電極７をスパッタで形成した。
【００３８】
正孔注入層６としてＰＥＤＯＴ（ヘレウス社製）、正孔輸送層５としてポリフルオレン系のポリマー材料（住友化学社製）、発光層４としてポリフルオレン系のポリマー材料（住友化学社製）をスピンコートで順次形成しベークした。
【００３９】
電子注入層３としてフッ化ナトリウム、第一電極１としてアルミを順次蒸着して積層形成した。次いで、ダム剤１７とフィル剤１８を塗布した封止基材１９と張り合わせ、全体を図３のように封止した。その後ハンドリング用のガラス板からはがしてフレキシブル面光源である有機ＥＬパネルを作成した。
【００４０】
作成した有機ＥＬパネル４枚を接着剤で張り合わせ図５（ａ）のように有機ＥＬ発光装置を作製した。有機ＥＬパネルの１枚には気体を封入するための封入口１０を設けた。
【００４１】
前記有機ＥＬ発光装置の取り出し電極１６に配線１２をつなぎ、さらに電源ユニット１１を接続し救援信号機とした。内部にヘリウムガスを封入すると大気中で浮いた。電源ユニット１１と有機ＥＬ装置は配線１２でつながれており、手元の電源ユニット１１で大気中に浮く有機ＥＬ発光装置の発光のＯＮ／ＯＦＦができた。
【００４２】
本発明の有機ＥＬ発光装置は、夜間でも認識できる浮遊型の発光広告媒体として活用でき、さらに、長時間発光が可能なため、夜間、海上や山岳地帯での遭難時に救助信号として、救助要望を知らせることのできる浮遊型の救援信号機としても使用可能である。
【符号の説明】
【００４３】
１・・・第一電極
２・・・電子注入層
３・・・電子輸送層
４・・・発光層
５・・・正孔輸送層
６・・・正孔注入層
７・・・第二電極（透明）
８・・・基板
９・・・封止体
１０・・・封入口
１１・・・電源ユニット
１２・・・配線
１３・・・有機ＥＬ
１６・・・取り出し電極
１７・・・ダム剤
１８・・・フィル剤
１９・・・封止基材
２０・・・有機ＥＬパネル
３０・・・有機ＥＬ発光装置
【図１】
2017033821.tif 000003
【図２】
2017033821.tif 000004
【図３】
2017033821.tif 000005
【図４】
2017033821.tif 000006
【図５】
2017033821.tif 000007
【図６】
2017033821.tif 000008